(57)【要約】【課題】ショーケース本体の上部に設けられて照明されるサインボードに虫が止まらないようにする。【解決手段】内部に商品陳列室５を有し前面に開口６を有するショーケース本体３と、開口６を閉止する閉止位置と開口６を開放する開放位置とに移動可能なドア９と、ショーケース本体３の前面側上部に設けられて照明されるサインボード１０と、を有するショーケース１において、ショーケース本体３の上部に配置されるファン１３と、ファン１３により送風される空気をサインボード１０の表面に沿って下向きに吹き出させる送風経路１６と、を備える。【選択図】図１
2017077282.tif 000002
【特許請求の範囲】
【請求項１】
内部に商品陳列室を有し前面に開口を有するショーケース本体と、前記開口を閉止する閉止位置と前記開口を開放する開放位置とに移動可能なドアと、前記ショーケース本体の前面側上部に設けられて照明されるサインボードと、を有するショーケースにおいて、
前記ショーケース本体の上部に配置されるファンと、
前記ファンにより送風される空気を前記サインボードの表面に沿って下向きに吹き出させる送風経路と、
を備えることを特徴とするショーケース。
【請求項２】
前記ファンを収容するファンケースが設けられ、このファンケースに前記ファンにより送風される空気が吸い込まれる吸込口が設けられ、この吸込口にフィルタが設けられていることを特徴とする請求項１記載のショーケース。
【請求項３】
前記サインボードの表面に沿って吹き出された空気は、閉止位置に位置する前記ドアの前面に沿って下向きに流れることを特徴とする請求項１又は２記載のショーケース。
【請求項４】
前記ファンは、前記サインボードの照明時に始動されるとともに前記サインボードの照明終了時に停止されることを特徴とする請求項１ないし３のいずれか一項に記載のショーケース。
【発明の詳細な説明】
【技術分野】
【０００１】
本発明は、スーパーマーケットやコンビニエンスストア等の店舗で使用され、開閉可能なドアを有するショーケースに関する。
【背景技術】
【０００２】
従来、スーパーマーケットやコンビニエンスストア等の店舗では、商品を陳列するショーケースとして、ショーケース本体の正面側に商品を出し入れする開口が設けられ、この開口を開閉するドアを備えたタイプのものが用いられている。このようなショーケースのなかには、ショーケース本体の上部に照明されるサインボードを設け、そのサインボードに陳列してある商品を表示したり各種の案内文を表示したりするものが存在する（下記特許文献１参照）。
【先行技術文献】
【特許文献】
【０００３】
【特許文献１】特開２００５−３０００２８号公報
【発明の概要】
【発明が解決しようとする課題】
【０００４】
しかしながら、特許文献１に記載されたようにサインボードを備えると、店舗内に虫が入り込んだ場合にその虫が照明されているサインボードに引き寄せられることになる。特に、サインボードを目立つようにするため店舗内照明より一段と明るく照明する場合には、虫の引き寄せが顕著になる。
【０００５】
サインボードに引き寄せられた虫がそのサインボードに止まっていると、顧客に対して不快感を与えることになる。さらに、サインボードに虫が止まっていると、その虫はドアが開放された場合に陳列されている商品の匂いに誘われて商品陳列室内に入り込み易く、不衛生である。
【０００６】
本発明は、このような課題を解決するためになされたものであり、その目的は、ショーケース本体の上部に設けられて照明されるサインボードに虫が止まらないようにすることができるショーケースを提供することである。
【課題を解決するための手段】
【０００７】
本発明に係るショーケースは、内部に商品陳列室を有し前面に開口を有するショーケース本体と、前記開口を閉止する閉止位置と前記開口を開放する開放位置とに移動可能なドアと、前記ショーケース本体の前面側上部に設けられて照明されるサインボードと、を有するショーケースにおいて、前記ショーケース本体の上部に配置されるファンと、前記ファンにより送風される空気を前記サインボードの表面に沿って下向きに吹き出させる送風経路と、を備えることを特徴とする。
【０００８】
また、前述のショーケースにおいて、前記ファンを収容するファンケースが設けられ、このファンケースに前記ファンにより送風される空気が吸い込まれる吸込口が設けられ、この吸込口にフィルタが設けられていることが望ましい。
【０００９】
また、前述のショーケースにおいて、前記サインボードの表面に沿って吹き出された空気は、閉止位置に位置する前記ドアの前面に沿って下向きに流れることが望ましい。
【００１０】
また、前述のショーケースにおいて、前記ファンは、前記サインボードの照明時に始動されるとともに前記サインボードの照明終了時に停止されることが望ましい。
【発明の効果】
【００１１】
本発明に係るショーケースは、ファンにより送風される空気が送風経路を通り、サインボードの表面に沿って下向きに吹き出されるので、サインボードの明るさに引き寄せられた虫がいてもその虫はサインボードに止まることが阻止される。このため、サインボードに虫が止まっているために顧客に不快感を与えることを防止することができ、さらに、ドアを開放した場合にサインボードに止まっていた虫が商品陳列室内に入り込むことを防止することができる。
【００１２】
また、ファンにより送風される空気は、フィルタにより塵や埃を除去された清浄な空気であるため、ドアを開放した場合にファンにより送風された空気が商品陳列室内に入り込んでも、塵や埃が商品陳列室内に入り込むことを防止することができる。
【００１３】
また、ファンにより送風されてサインボードの表面に沿って吹き出された空気は、閉止位置に位置するドアの前面に沿って流れるので、ドアを開放した場合に開口を覆うエアカーテンとして機能することになり、ドアを開放した場合に店舗内の塵や埃が商品陳列室内に入り込むことを防止することができる。
【００１４】
また、ファンは、サインボードの点灯時に始動されるとともにサインボードの照明終了時に停止されるので、ファンを始動させることや停止させることを忘れることを防止することができる。
【図面の簡単な説明】
【００１５】
【図１】本発明の一実施形態のショーケースを示す断面側面図である。
【発明を実施するための形態】
【００１６】
本発明の一実施形態について、図面に基づいて説明する。図１は、ショーケース１を示す断面側面図であり、このショーケース１は、基台２と基台２の上に載置されたショーケース本体３とを有している。
【００１７】
ショーケース本体３は、断面形状コの字型の断熱材からなる外周壁４を有し、この外周壁４の内側に商品陳列室５が設けられ、外周壁４の前面に開口６が設けられている。商品陳列室５内の奥部には取付板７が設けられ、この取付板７に上下複数段の商品陳列棚８が取付けられている。ショーケース本体３には、開口６を開放する開放位置と開口６を閉止する閉止位置とに回動可能なドア９が設けられている。
【００１８】
ショーケース本体３の前面側上部にはサインボード１０が設けられ、このサインボード１０には商品陳列室５内に陳列されている商品に関する案内や各種の案内文が表示されている。このサインボード１０は、上部側が手前側に張り出したオーバーハング状態に設けられている。
【００１９】
サインボード１０は透光性部材により形成され、サインボード１０の裏面側にはランプ１１が配置されている。このランプ１１が点灯されることにより、ランプ１１からの光がサインボード１０を透過し、サインボード１０を照明するようになっている。
【００２０】
ショーケース本体３の上部にはファンケース１２が設けられ、このファンケース１２内にファン１３が収容されている。ファンケース１２には、ファン１３により送風される空気がファンケース１２内に吸い込まれる吸込口１４が設けられ、この吸込口１４には空気中の塵や埃を捕捉するフィルタ１５が設けられている。
【００２１】
さらに、ファンケース１２内には、ファン１３により送風される空気を、サインボード１０の上端側からサインボード１０の表面に沿って下向きに吹き出させる送風経路１６が設けられている。送風経路１６の先端開口部１６ａからサインボード１０の表面に沿って下向きに吹き出された空気は、閉止位置に位置するドア９の前面に沿って下向きに流れるようになっている。
【００２２】
このショーケース１には、サインボード１０を照明するランプ１１のオン・オフを切替える切替スイッチ（図示せず）が設けられており、この切替スイッチのオン・オフに伴ってファン１３がオン・オフされるようになっている。即ち、ランプ１１を点灯させることによりファン１３が始動され、ランプ１１を消灯させることによりファン１３が停止されるようになっている。
【００２３】
このような構成において、ファン１３が駆動されることにより、店舗内の空気が矢印で示すように吸込口１４からファンケース１２内に吸込まれ、ファンケース１２内に吸込まれた空気は矢印で示すように送風経路１６内を流れて先端側開口部１６ａから吹き出される。ここで、ファンケース１２内に吸込まれる空気からは、フィルタ１５により塵や埃が捕捉されているため、送風経路１６の先端側開口部１６ａからは塵や埃を含まない清浄な空気が吹き出されることになる。
【００２４】
先端側開口部１６ａから吹き出された空気は、サインボード１０の上端側からサインボード１０の表面に沿って下向きに流れ、さらに、閉止位置に位置するドア９の前面に沿って下向きに流れる。
【００２５】
このため、店舗内に入り込んだ虫がサインボード１０の明るさによりサインボード１０の表面側に引き寄せられた場合でも、その虫は、先端開口部１６ａから吹き出される空気の流れによってサインボード１０の表面に止まることを阻止される。これにより、サインボード１０の表面に虫が止まっているために顧客に不快感を与えることを防止することができる。さらに、商品を購入するためにドア９を開放した場合に、サインボード１０に止まっていた虫が商品陳列室５内に入り込むことを防止することができる。
【００２６】
また、ファン１３により送風されて先端開口部１６ａから吹き出される空気は、フィルタ１５により塵や埃を除去された清浄な空気である。このため、ドア９を開放した場合に先端開口部１６ａから吹き出された空気の一部が商品陳列室５内に入り込んでも、その空気と共に塵や埃が商品陳列室５内に入り込むことはない。
【００２７】
また、先端開口部１６ａからサインボード１０の表面に沿って吹き出された空気は、閉止位置に位置するドア９の前面に沿って下向きに流れるので、この空気はドア９を開放した場合に開口６を覆うエアカーテンとして機能することになる。これにより、ドア９を開放した場合に店舗内の塵や埃が商品陳列室５内に入り込むことを防止することができる。
【００２８】
また、ファン１３は、ランプ１１の点灯時に始動されるとともにランプ１１の消灯時に停止されるため、ファン１３を店舗の営業時間内にのみ駆動させることができる。これにより、ランプ１１が点灯されている店舗の営業時間中にファン１３を駆動させることを忘れためにサインボード１０に虫が止まることや、ランプ１１を消灯した店舗の営業終了後にもファン１３を駆動させて消費電力の無駄を生じさせることを防止することができる。
【符号の説明】
【００２９】
１    ショーケース
２    基台
３    ショーケース本体
４    外周壁
５    商品連列室
６    開口
７    取付板
８    商品陳列棚
９    ドア
１０    サインボード
１１    ランプ
１２    ファンケース
１３    ファン
１４    吸込口
１５    フィルタ
１６    送風経路
１６ａ  先端開口部
【図１】
2017077282.tif 000003